【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
エチレン系ポリマーを形成する方法であって、前記方法が、エチレン、ならびに少なくとも以下のＡ）及びＢ）：
Ａ）レオロジー調整剤（ＲＭＡ）であって、以下のｉ）からｖ）：
ｉ）ＲＭＡ１：
【化１】
2018518576.tif 000001
（ＲＭＡ１に関して、Ｒ１は、Ｈまたはアルキルであり、ｎは、１から５０であり、Ｒ２は、Ｈまたはアルキルから選択され、Ｒ３は、Ｈまたはアルキルから選択される）、
ｉｉ）ＲＭＡ２：
【化２】
2018518576.tif 000002
（ＲＭＡ２に関して、Ｒ４及びＲ５は、それぞれ独立して、Ｈまたはアルキルであり、ｍは、１から５０である）、
ｉｉｉ）ＲＭＡ３：
【化３】
2018518576.tif 000003
（ＲＭＡ３に関して、Ｒ６及びＲ９は、それぞれ独立して、Ｈまたはアルキルであり、ｐは、１から５０であり、Ｒ７は、Ｈまたはアルキルから選択され、Ｒ８は、Ｈまたはアルキルから選択される）、
ｉｖ）ＲＭＡ４：
【化４】
2018518576.tif 000004
（ＲＭＡ４に関して、Ｒ１０及びＲ１５は、それぞれ独立して、Ｈまたはアルキルであり、ｒは、１から１００であり、Ｒ１１は、Ｈまたはアルキルから選択され、Ｒ１２は、Ｈまたはアルキルから選択され、Ｒ１３は、Ｈまたはアルキルから選択され、Ｒ１４は、Ｈまたはアルキルから選択される）、
ｖ）ｉ）からｉｖ）の２つ以上の任意の組み合わせ、から選択されるレオロジー調整剤（ＲＭＡ）、
Ｂ）下記から選択される少なくとも１種のコモノマー：
ａ）  コモノマー１：
【化５】
2018518576.tif 000005
（コモノマー１に関して、Ｒ１８及びＲ２１は、それぞれ独立して、Ｈまたはアルキルであり、ｔは、１から５０であり、Ｒ１９は、Ｈまたはアルキルから選択され、Ｒ２０は、Ｈまたはアルキルから選択される）、
ｂ）  ａ）およびコモノマー２の組み合わせ：
【化６】
2018518576.tif 000006
（コモノマー２に関して、Ｒ１６は、Ｈまたはアルキルであり、Ｒ１７は、Ｈまたはアルキルから選択される）、
を含む反応混合物を重合することを含む、方法。
【請求項２】
前記反応混合物が、少なくとも１種のフリーラジカル開始剤を更に含む、請求項１に記載の方法。
【請求項３】
次いで、重合が、１００ＭＰａ以上の圧力で生じる、請求項１または２に記載の方法。
【請求項４】
前記重合が、以下のａ）オートクレーブ反応器、ｂ）管型反応器、またはｃ）オートクレーブ反応と管型反応器の組み合わせを含む反応器構成において生じる、請求項１から３のいずれか一項に記載の方法。
【請求項５】
Ａ）が、ｉ）、ｉｉ）、ｉｉｉ）、またはｖ）から選択されるレオロジー調整剤（ＲＭＡ）である、請求項１から４のいずれか一項に記載の方法。
【請求項６】
Ａ）が、ｉｉ）、ｉｉｉ）、またはｖ）から選択されるレオロジー調整剤（ＲＭＡ）である、請求項１から５のいずれか一項に記載の方法。
【請求項７】
Ａ）が、ｉｉｉ）から選択されるレオロジー調整剤（ＲＭＡ）である、請求項１から６のいずれか一項に記載の方法。
【請求項８】
請求項１から７のいずれか一項に記載の方法から形成されるエチレン系ポリマーを含む組成物。
【請求項９】
前記エチレン系ポリマーが、少なくとも以下のＡ’）及びＢ’）：
Ａ’）少なくとも１種のレオロジー調整剤（ＲＭＡ）由来の１つ以上の単位であって、以下のｉ）からｖ）：
ｉ）ＲＭＡ１：
【化７】
2018518576.tif 000007
（ＲＭＡ１に関して、Ｒ１は、Ｈまたはアルキルであり、ｎは、１から５０であり、Ｒ２は、Ｈまたはアルキルから選択され、Ｒ３は、Ｈまたはアルキルから選択される）、
ｉｉ）ＲＭＡ２：
【化８】
2018518576.tif 000008
（ＲＭＡ２に関して、Ｒ４及びＲ５は、それぞれ独立して、Ｈまたはアルキルであり、ｍは、１から５０である）、
ｉｉｉ）ＲＭＡ３：
【化９】
2018518576.tif 000009
（ＲＭＡ３に関して、Ｒ６及びＲ９は、それぞれ独立して、Ｈまたはアルキルであり、ｐは、１から５０であり、Ｒ７は、Ｈまたはアルキルから選択され、Ｒ８は、Ｈまたはアルキルから選択される）、
ｉｖ）ＲＭＡ４：
【化１０】
2018518576.tif 000010
（ＲＭＡ４に関して、Ｒ１０及びＲ１５は、それぞれ独立して、Ｈまたはアルキルであり、ｒは、１から１００であり、Ｒ１１は、Ｈまたはアルキルから選択され、Ｒ１２は、Ｈまたはアルキルから選択され、Ｒ１３は、Ｈまたはアルキルから選択され、Ｒ１４は、Ｈまたはアルキルから選択される）、
ｖ）ｉ）からｉｖ）の２つ以上の任意の組み合わせ、から選択される少なくとも１種のレオロジー調整剤（ＲＭＡ）由来の１つ以上の単位、
Ｂ’）下記から選択される少なくとも１種のコモノマー由来の１つ以上の単位：
ａ）  コモノマー１：
【化１１】
2018518576.tif 000011
（コモノマー１に関して、Ｒ１８及びＲ２１は、それぞれ独立して、Ｈまたはアルキルであり、ｔは、１から５０であり、Ｒ１９は、Ｈまたはアルキルから選択され、Ｒ２０は、Ｈまたはアルキルから選択される）、
ｂ）  ａ）およびコモノマー２の組み合わせ：
【化１２】
2018518576.tif 000012
（コモノマー２に関して、Ｒ１６は、Ｈまたはアルキルであり、Ｒ１７は、Ｈまたはアルキルから選択される）、
を含む、請求項８に記載の組成物。
【請求項１０】
前記エチレン系ポリマーが、構造１から選択される少なくとも１種の構造を含み、
【化１３】
2018518576.tif 000013
構造１に関して、Ｒ１は、Ｈまたはアルキルから選択され、Ｒａは、Ｈまたはアルキルから選択され、Ｒｂは、Ｈまたはアルキルから選択される、請求項８または９に記載の組成物。
【手続補正２】
【補正対象書類名】明細書
【補正対象項目名】０１９６
【補正方法】変更
【補正の内容】
【０１９６】
本エチレン系ポリマーは、ａ）コントロールのＰＥＧ  ＤＭＡ及びＰＥＧ  ＭＡを含まないで重合したエチレン系ポリマー、ｂ）比較例のＰＥＧ  ＤＭＡを含まないで重合したエチレン系ポリマー、及びｃ）比較例のＰＥＧ  ＭＡを含まないで重合したエチレン系ポリマー、と比較すると著しく大きな溶融強度を有することが予期される。このような結果は、発明の実施例１に関する上記の結果に一致することになる。
本願発明には以下の態様が含まれる。
項１．
エチレン系ポリマーを形成する方法であって、前記方法が、エチレン、ならびに少なくとも以下のＡ）及びＢ）：
Ａ）レオロジー調整剤（ＲＭＡ）であって、以下のｉ）からｖ）：
ｉ）ＲＭＡ１：
【化１】
2018518576.tif 000014
（ＲＭＡ１に関して、Ｒ１は、Ｈまたはアルキルであり、ｎは、１から５０であり、Ｒ２は、Ｈまたはアルキルから選択され、Ｒ３は、Ｈまたはアルキルから選択される）、
ｉｉ）ＲＭＡ２：
【化２】
2018518576.tif 000015
（ＲＭＡ２に関して、Ｒ４及びＲ５は、それぞれ独立して、Ｈまたはアルキルであり、ｍは、１から５０である）、
ｉｉｉ）ＲＭＡ３：
【化３】
2018518576.tif 000016
（ＲＭＡ３に関して、Ｒ６及びＲ９は、それぞれ独立して、Ｈまたはアルキルであり、ｐは、１から５０であり、Ｒ７は、Ｈまたはアルキルから選択され、Ｒ８は、Ｈまたはアルキルから選択される）、
ｉｖ）ＲＭＡ４：
【化４】
2018518576.tif 000017
（ＲＭＡ４に関して、Ｒ１０及びＲ１５は、それぞれ独立して、Ｈまたはアルキルであり、ｒは、１から１００であり、Ｒ１１は、Ｈまたはアルキルから選択され、Ｒ１２は、Ｈまたはアルキルから選択され、Ｒ１３は、Ｈまたはアルキルから選択され、Ｒ１４は、Ｈまたはアルキルから選択される）、
ｖ）ｉ）からｉｖ）の２つ以上の任意の組み合わせ、から選択されるレオロジー調整剤（ＲＭＡ）、
Ｂ）少なくとも１種のコモノマーであって、下記のａ）からｃ）：
ａ）コモノマー１：
【化５】
2018518576.tif 000018
（コモノマー１に関して、Ｒ１６は、Ｈまたはアルキルであり、Ｒ１７は、Ｈまたはアルキルから選択される）、
ｂ）コモノマー２：
【化６】
2018518576.tif 000019
（コモノマー２に関して、Ｒ１８及びＲ２１は、それぞれ独立して、Ｈまたはアルキルであり、ｔは、１から５０であり、Ｒ１９は、Ｈまたはアルキルから選択され、Ｒ２０は、Ｈまたはアルキルから選択される）、
ｃ）ａ）及びｂ）の組み合わせ、から選択される少なくとも１種のコモノマー、を含む反応混合物を重合することを含む、方法。
項２．
前記反応混合物が、少なくとも１種のフリーラジカル開始剤を更に含む、項１に記載の方法。
項３．
次いで、重合が、１００ＭＰａ以上の圧力で生じる、項１または２に記載の方法。
項４．
前記重合が、以下のａ）オートクレーブ反応器、ｂ）管型反応器、またはｃ）オートクレーブ反応と管型反応器の組み合わせを含む反応器構成において生じる、項１から３のいずれか一項に記載の方法。
項５．
Ａ）が、ｉ）、ｉｉ）、ｉｉｉ）、またはｖ）から選択されるレオロジー調整剤（ＲＭＡ）である、項１から４のいずれか一項に記載の方法。
項６．
Ａ）が、ｉｉ）、ｉｉｉ）、またはｖ）から選択されるレオロジー調整剤（ＲＭＡ）である、項１から５のいずれか一項に記載の方法。
項７．
Ａ）が、ｉｉｉ）から選択されるレオロジー調整剤（ＲＭＡ）である、項１から６のいずれか一項に記載の方法。
項８．
項１から７のいずれか一項に記載の方法から形成されるエチレン系ポリマーを含む組成物。
項９．
前記エチレン系ポリマーが、少なくとも以下のＡ’）及びＢ’）：
Ａ’）少なくとも１種のレオロジー調整剤（ＲＭＡ）由来の１つ以上の単位であって、以下のｉ）からｖ）：
ｉ）ＲＭＡ１：
【化７】
2018518576.tif 000020
（ＲＭＡ１に関して、Ｒ１は、Ｈまたはアルキルであり、ｎは、１から５０であり、Ｒ２は、Ｈまたはアルキルから選択され、Ｒ３は、Ｈまたはアルキルから選択される）、
ｉｉ）ＲＭＡ２：
【化８】
2018518576.tif 000021
（ＲＭＡ２に関して、Ｒ４及びＲ５は、それぞれ独立して、Ｈまたはアルキルであり、ｍは、１から５０である）、
ｉｉｉ）ＲＭＡ３：
【化９】
2018518576.tif 000022
（ＲＭＡ３に関して、Ｒ６及びＲ９は、それぞれ独立して、Ｈまたはアルキルであり、ｐは、１から５０であり、Ｒ７は、Ｈまたはアルキルから選択され、Ｒ８は、Ｈまたはアルキルから選択される）、
ｉｖ）ＲＭＡ４：
【化１０】
2018518576.tif 000023
（ＲＭＡ４に関して、Ｒ１０及びＲ１５は、それぞれ独立して、Ｈまたはアルキルであり、ｒは、１から１００であり、Ｒ１１は、Ｈまたはアルキルから選択され、Ｒ１２は、Ｈまたはアルキルから選択され、Ｒ１３は、Ｈまたはアルキルから選択され、Ｒ１４は、Ｈまたはアルキルから選択される）、
ｖ）ｉ）からｉｖ）の２つ以上の任意の組み合わせ、から選択される少なくとも１種のレオロジー調整剤（ＲＭＡ）由来の１つ以上の単位、
Ｂ’）少なくとも１種のコモノマー由来の１つ以上の単位であって、以下のａ）からｃ）：
ａ）コモノマー１：
【化１１】
2018518576.tif 000024
（コモノマー１に関して、Ｒ１６は、Ｈまたはアルキルであり、Ｒ１７は、Ｈまたはアルキルから選択される）、
ｂ）コモノマー２：
【化１２】
2018518576.tif 000025
（コモノマー２に関して、Ｒ１８及びＲ２１は、それぞれ独立して、Ｈまたはアルキルであり、ｔは、１から５０であり、Ｒ１９は、Ｈまたはアルキルから選択され、Ｒ２０は、Ｈまたはアルキルから選択される）、
ｃ）ａ）及びｂ）の組み合わせ、から選択される少なくとも１種のコモノマー由来の１つ以上の単位、を含む、項８に記載の組成物。
項１０．
前記エチレン系ポリマーが、構造１から選択される少なくとも１種の構造を含み、
【化１３】
2018518576.tif 000026
構造１に関して、Ｒ１は、Ｈまたはアルキルから選択され、Ｒａは、Ｈまたはアルキルから選択され、Ｒｂは、Ｈまたはアルキルから選択される、項８または９に記載の組成物。